(57)【特許請求の範囲】
【請求項１】
商品を上下方向に積み重ねて収納する商品収納部と、
この商品収納部の最下位位置に収納する商品を支持し、商品排出時に最下位位置の商品を排出するとともに最下位から２番目の商品の最下位位置への落下を許容する排出機構と、
前記商品収納部の一側でこの商品収納部に収納される最下位から２番目以上の各商品を収納する各収納位置毎に設けられ、対応する収納位置に収納される商品で押動されて上側の収納位置の商品を係止するととともに、対応する収納位置の商品が落下して押動が解除されることによって上側の収納位置の商品の係止を解除する複数の係止体を有する支持機構と、
前記商品収納部の他側に設けられ、商品収納部の一側および前記各係止体との間で商品の幅方向を規制するスペーサと
を具備していることを特徴とする商品収納排出装置。
【請求項２】
スペーサは、商品収納部の一側と他側との間に収納される商品の幅が小さい位置に対応して設けられている
ことを特徴とする請求項１記載の商品収納排出装置。
【請求項３】
スペーサは、商品収納部の一側と他側との間に収納される商品の幅が小さい位置を含む少なくとも２箇所の位置に対応して設けられているとともに、商品収納部の他側からの突出量は商品の幅の小さい位置が他の位置より大きく設けられている
ことを特徴とする請求項１記載の商品収納排出装置。
【請求項４】
スペーサは、商品収納部の最上位位置から排出機構によって商品を排出する最下位位置にわたって設けられている
ことを特徴とする請求項１ないし３いずれか記載の商品収納排出装置。
【請求項５】
スペーサは、商品収納部の他側に対して着脱可能とする取付構造および商品収納部の他側からの突出量を調整可能とする取付構造のうち、少なくともいずれか一方の取付構造で設けられている
ことを特徴とする請求項１ないし４いずれか記載の商品収納排出装置。
【発明の詳細な説明】
【０００１】
【発明の属する技術分野】
本発明は、商品を上下方向に積み重ねて収納するとともに最下位位置の商品から順に１つずつ排出する商品収納排出装置に関する。
【０００２】
【従来の技術】
従来、商品を販売する自動販売機の商品収納排出装置では、商品を上下方向に積み重ねて収納する商品収納部、およびこの商品収納部内の最下位位置に収納する商品を支持するとともに商品排出時に最下位位置の商品を排出する排出機構を備えている。
【０００３】
このような商品収納排出装置では、例えば、特開平１１−２８３１０３号公報に記載されているように、商品として容量が３５０ｍｌや大きくても５００ｍｌの飲料入りの円筒状の缶の場合、サーペンタインコラムを採用し、このサーペンタインコラム内に円筒状の缶を千鳥状に積み上げることで荷重の分散を図り、通常の排出機構でもサーペンタインコラム内に収納される缶の荷重に十分に耐えられるようにしている。
【０００４】
【発明が解決しようとする課題】
ところで、商品として容量が例えば２リットルの角形のペットボトルの場合、このペットボトルを横に倒した状態でペットボトルの側面を合わせて上下方向に一直線上に積み重ねたほうが収納姿勢が安定するが、これでは商品収納部内に収納される全てのペットボトルの荷重が排出機構の１点に集中してしまい、通常の排出機構だと動かなくなったり、動いたとしても最下位のペットボトルを排出する毎に商品収納部内の最下位から２番目以上のペットボトルが一度に落下して排出機構に大きな衝撃力が加わり、排出機構の故障の原因になる問題がある。
【０００５】
そこで、商品収納部の一側に、商品収納部内に収納されたペットボトルを商品収納部の他側との間で支持するとともに最下位位置のペットボトルの排出に伴なってペットボトルを下降させる支持機構を設けることを考えたが、ペットボトルは底部側の幅に対して口部側の幅が小さい形状になっているため、支持機構と商品収納部の他側との間にペットボトルの底部側を確実に支持できても幅の小さい口部側を確実に支持できず、口部側が下がって斜めになるなど、ペットボトルの姿勢が安定せず、商品収納部内でペットボトルの詰まりが発生することが考えられる。
【０００６】
また、ペットボトルは、底部側の幅に対して口部側の幅が小さい形状になっている以外にも、ペットボトルの種類によって、幅寸法、角部の面取りの大きさ、硬さなどが異なっており、これらペットボトルに対応するのが難しい問題がある。
【０００７】
本発明は、このような点に鑑みなされたもので、排出機構に加わる商品の荷重や衝撃を低減でき、しかも、商品の形状や種類にも容易に対応して商品の姿勢を安定させることができ、商品を正常に収納および排出できる商品収納排出装置を提供することを目的とする。
【０００８】
【課題を解決するための手段】
請求項１記載の商品収納排出装置は、商品を上下方向に積み重ねて収納する商品収納部と、この商品収納部の最下位位置に収納する商品を支持し、商品排出時に最下位位置の商品を排出するとともに最下位から２番目の商品の最下位位置への落下を許容する排出機構と、前記商品収納部の一側でこの商品収納部に収納される最下位から２番目以上の各商品を収納する各収納位置毎に設けられ、対応する収納位置に収納される商品で押動されて上側の収納位置の商品を係止するととともに、対応する収納位置の商品が落下して押動が解除されることによって上側の収納位置の商品の係止を解除する複数の係止体を有する支持機構と、前記商品収納部の他側に設けられ、商品収納部の一側および前記各係止体との間で商品の幅方向を規制するスペーサとを具備しているものである。
【０００９】
そして、この構成では、商品収納部の一側でこの商品収納部に収納される最下位から２番目より上の各商品を収納する各収納位置毎に設けた係止体により、対応する収納位置に収納される商品で押動されて上側の収納位置の商品を係止するととともに、対応する収納位置の商品が落下して押動が解除されることによって上側の収納位置の商品の係止を解除するため、商品収納状態では排出機構に加わる商品の荷重を緩和できるとともに、最下位の商品の排出後には下側の商品から順次１個ずつ落下させて排出機構に加わる衝撃力を緩和でき、排出機構の動作不良を防止できる。しかも、商品収納部の他側に、商品収納部の一側および各係止体との間で商品の幅方向を規制するスペーサを設けたので、商品の形状や種類に容易に対応して商品の姿勢が安定し、支持機構の係止体の動作が確実になり、商品を正常に収納および排出可能となる。
【００１０】
請求項２記載の商品収納排出装置は、請求項１記載の商品収納排出装置において、スペーサは、商品収納部の一側と他側との間に収納される商品の幅が小さい位置に対応して設けられているものである。
【００１１】
そして、この構成では、スペーサを、商品収納部の一側と他側との間に収納される商品の幅が小さい位置に対応して設けたので、商品の形状に適切に対応して、商品の姿勢が確実に安定する。
【００１２】
請求項３記載の商品収納排出装置は、請求項１記載の商品収納排出装置において、スペーサは、商品収納部の一側と他側との間に収納される商品の幅が小さい位置を含む少なくとも２箇所の位置に対応して設けられているとともに、商品収納部の他側からの突出量は商品の幅の小さい位置が他の位置より大きく設けられているものである。
【００１３】
そして、この構成では、スペーサを、商品収納部の一側と他側との間に収納される商品の幅が小さい位置を含む少なくとも２箇所の位置に対応して設けるとともに、商品収納部の他側からの突出量は商品の幅の小さい位置が他の位置より大きく設けたので、商品の形状に適切に対応して、商品の姿勢が確実に安定する。
【００１４】
請求項４記載の商品収納排出装置は、請求項１ないし３いずれか記載の商品収納排出装置において、スペーサは、商品収納部の最上位位置から排出機構によって商品を排出する最下位位置にわたって設けられているものである。
【００１５】
そして、この構成では、スペーサを、商品収納部の最上位位置から排出機構によって商品を排出する最下位位置にわたって設けたので、商品収納部内での商品の収納から排出までの全ての過程において、商品の姿勢が確実に安定する。
【００１６】
請求項５記載の商品収納排出装置は、請求項１ないし４いずれか記載の商品収納排出装置において、スペーサは、商品収納部の他側に対して着脱可能とする取付構造および商品収納部の他側からの突出量を調整可能とする取付構造のうち、少なくともいずれか一方の取付構造で設けられているものである。
【００１７】
そして、この構成では、スペーサを、商品収納部の他側に対して着脱可能とする取付構造および商品収納部の他側からの突出量を調整可能とする取付構造のうち、少なくともいずれか一方の取付構造で設けたので、商品の種類に容易に対応可能となる。
【００１８】
【発明の実施の形態】
以下、本発明の一実施の形態を図面を参照して説明する。
【００１９】
図１ないし図３に第１の実施の形態を示し、図１は商品収納排出装置の平面図であり、図２は商品収納排出装置を示し、(a)は側面図、(b)は排出機構の背面図であり、図３は商品収納排出装置による商品排出動作を(a)〜(d)の順に示す正面図である。
【００２０】
商品収納排出装置11は、商品を収納して１つずつ排出可能とするもので、商品を販売する自動販売機に適用される。
【００２１】
商品収納排出装置11で取り扱う商品としては、例えば容量が２リットルの角形のペットボトル12であり、このペットボトル12は、飲料を収納するボトル本体13、およびこのボトル本体13の注出口をキャップで閉止した口部14を有している。ボトル本体13は、長辺と短辺とを有する断面略長方形で、底部側の胴部15と口部14側の胴部16とを有し、口部14側の胴部16の幅が底部側の胴部15の幅より小さい寸法に形成されている。
【００２２】
商品収納排出装置11は、フレーム体21を有し、このフレーム体21内に複数のペットボトル12を上下方向に一直線状に積み重ねて収納する商品収納部22が形成されている。この商品収納部22は、このフレーム体21の一側の側板23、他側の側板24、後側の後面板25、前側の前面板26との間に上下方向に形成されている。前面板26は一側の側板23に対してヒンジ軸27を支点として開閉可能に取り付けられ、この前面板26を開放して商品収納部22の前面を開口させた状態で、ペットボトル12を商品収納部22内に前方から装填可能としている。商品収納部22に収納するペットボトル12の姿勢は、口部14が後方に、底面が前方に向いた横向き状態で、ボトル本体13の長辺が両側方向に向き、短辺が上下方向に向いた状態としている。
【００２３】
なお、商品収納部22で最下位のペットボトル12を収納する位置を最下位位置P0とし、最下位から２番目以上の各ペットボトル12を収納する位置を各収納位置P1，P2，P3，P4…とする。
【００２４】
また、商品収納部22の一側下部には、商品収納部22内の最下位位置P0に収納するペットボトル12を支持し、商品排出時に最下位位置P0のペットボトル12を１つずつ排出するとともに最下位から２番目のペットボトル12の最下位位置P0への落下を許容する排出機構29が配設されている。
【００２５】
この排出機構29は、最下位のペットボトル12に係脱する下側ラッチ30、最下位から２番目のペットボトル12に係脱する上側ラッチ31を有している。下側ラッチ30は、側板23の外面側に軸支される支軸32を支点として、商品収納部22内に進入して最下位位置P0のペットボトル12の下面を支持する係止位置と、下方を通じて商品収納部22から退避してペットボトル12の下方への落下を許容する退避位置との間で揺動可能としている。上側ラッチ31は、側板23の外面側に軸支される支軸33を支点として、商品収納部22内に進入するとともに最下位のペットボトル12と２番目のペットボトル12との角部間の隙間を通じて２番目のペットボトル12の下側を係止する係止位置と、商品収納部22から退避して２番目のペットボトル12の下方への落下を許容する退避位置との間で揺動可能としている。
【００２６】
これらラッチ30，31は、フレーム体21に取り付けられた駆動部としてのソレノイド34の駆動により連動機構35を介して動作される。ソレノイド34の下方へ進退するプランジャには駆動レバー36が連結され、この駆動レバー36がフレーム体21側との間に張設されるスプリング37によって下方へ付勢されている。
【００２７】
下側ラッチ30の支軸32の上側で側板23の外面側に軸支される支軸38の両端に下側作動レバー39の中間部が取り付けられ、一方の下側作動レバー39の一端が駆動レバー36に連結され、両下側作動レバー39の他端間に連結軸40が軸支されている。下側ラッチ30の支軸32と下側作動レバー39の支軸38との間で側板23の外面側に軸支される支軸41の両端に下側係合レバー42の中間部が軸支され、これら下側係合レバー42の一端が連結軸40に連結され、他端が下側ラッチ30に係合される係合軸43が軸支されている。
【００２８】
上側ラッチ31の外側で側板23の外面側に軸支される支軸44の両端に上側作動レバー45の中間部が取り付けられ、一方の上側作動レバー45の一端が駆動レバー36に連結され、両上側作動レバー45の他端に上側ラッチ31に係合される係合軸46が軸支されている。
【００２９】
そして、ソレノイド34のオフ時には、スプリング37の付勢で駆動レバー36が下降し、下側作動レバー39および下側係合レバー42を介して下側ラッチ30が係止位置に移動するとともに、上側作動レバー45を介して上側ラッチ31が退避位置に移動する。また、ソレノイド34のオン時には、駆動レバー36が上昇し、下側作動レバー39および下側係合レバー42を介して下側ラッチ30が退避位置に移動するとともに、上側作動レバー45を介して上側ラッチ31が係止位置に移動する。
【００３０】
また、商品収納部22の一側の側板23には、最下位から２番目以上の各収納位置P1，P2，P3，P4…の一側に対応して開口部49が形成され、この開口部49の両側縁から外面側に支持片50が切り起し形成されている。
【００３１】
この商品収納部22の一側の側板23には、商品収納部22内に収納された各ペットボトル12を支持するとともに最下位位置P0のペットボトル12の排出に伴なって支持していた各ペットボトル12を１つずつ順次下降させる支持機構51が配設されている。この支持機構51は、各収納位置P1，P2，P3，P4…に収納されるペットボトル12で押されて上側の収納位置P2，P3，P4…のペットボトル12を係止するととともに、各収納位置P1，P2，P3，P4…のペットボトル12が落下して押されるのが解除されることによって上側の収納位置P2，P3，P4…のペットボトル12の係止を解除する複数の係止体52を有している。
【００３２】
これら各係止体52は、商品収納部22に収納されるペットボトル12のボトル本体13の長さに対応して幅広に形成され、開口部49に臨んで両支持片50間に配置され、上下方向の中間部が両支持片50間に軸支された支軸53によって揺動可能に支持されている。各係止体52の下端部には対応する収納位置P1，P2，P3，P4…のペットボトル12に接触して外方へ押される作用部54が設けられ、上端部には上側の収納位置P2，P3，P4…のペットボトル12を係止する係止部55が設けられている。さらに、各係止体52には、支軸53を支点として、作用部54が商品収納部22内に進入するとともに係止部55が商品収納部22内から退避する方向に付勢する付勢手段としてのねじりコイルばね56が装着されている。
【００３３】
また、商品収納部22の他側の側板24の内面には、商品収納部22の一側の側板23との間でペットボトル12の幅方向を規制するスペーサ59が取り付けられている。このスペーサ59は、商品収納部22の一側と他側との間に収納されるペットボトル12の幅が小さい位置、ペットボトル12の角部の面取りの大きさ、ペットボトル12の硬さなどに対応した位置であって、本実施の形態では、ボトル本体13のうちの口部14側の胴部16の位置の１箇所に対応して設けられているとともに、商品収納部22の最上位位置から排出機構29によってペットボトル12を排出する最下位位置P0にわたって設けられている。
【００３４】
スペーサ59は、断面略コ字形で、一側の側板23に対向して平面状の押圧面60が形成されており、商品収納部22の他側の側板24からの突出量が異なる複数種を有し、これらのうちの１つがペットボトル12の種類に対応して選定されている。また、スペーサ59は商品収納部22の他側に対して着脱可能とする取付構造で取り付けられており、この取付構造としては例えばねじ止め、爪とこの爪が係止される係止孔を備えた係止構造などが用いられている。
【００３５】
次に、第１の実施の形態の作用を説明する。
【００３６】
図３(a)に示すように、排出機構29の下側ラッチ30が係止位置に位置するとともに上側ラッチ31が退避位置に位置する状態において、商品収納部22の前面板26を開放し、商品収納部22の前面を通じてペットボトル12を装填し、商品収納部22内にペットボトル12を上下方向に積み重ねた状態に収納する。このとき、ペットボトル12のボトル本体13の口部14側の胴部16は一側の側板23とスペーサ59との間に挿入されて幅方向が規制され、ボトル本体13の底部側の胴部15は両側の側板23，24間に挿入されて幅方向が規制される。
【００３７】
ペットボトル12を各位置P0，P1，P2，P3，P4…に収納した待機状態では、最下位位置P0のペットボトル12は排出機構29の下側ラッチ30上に係止され、収納位置P1のペットボトル12は最下位位置P0のペットボトル12上に載置され、各収納位置P2，P3，P4…のペットボトル12は各係止体52の作用部54が各収納位置P1，P2，P3，P4のペットボトル12で押されていることでそれら各係止体52の係止部55で係止されている。したがって、各収納位置P2，P3，P4…のペットボトル12を各係止体52で係止してこれらペットボトル12の荷重を分散し、排出機構29の下側ラッチ30に加わる商品収納部22内のペットボトル12の荷重を緩和できる。
【００３８】
図３(b)に示すように、最下位位置P0の１つのペットボトル12の排出時には、排出機構29の下側ラッチ30が退避位置に移動するとともに上側ラッチ31が係止位置に移動する。これにより、最下位位置P0のペットボトル12の係止が解除されて下方へ落下排出され、最下位から２番目のペットボトル12は上側ラッチ31で係止されて収納位置P1に保持される。
【００３９】
図３(c)に示すように、最下位位置P0のペットボトル12の排出後に、排出機構29の下側ラッチ30が係止位置に移動するとともに上側ラッチ31が退避位置に移動する。これにより、まず、収納位置P1の２番目のペットボトル12が落下して排出機構29の下側ラッチ30によって係止される。続いて、収納位置P1の２番目のペットボトル12が落下することで、収納位置P1の係止体52の作用部54に対する押動が解除され、この係止体52がねじコイルばね56の付勢によって収納位置P2のペットボトル12を係止していた係止部55が退避位置に移動し、収納位置P2のペットボトル12が落下し、新たに最下位となったペットボトル12上に載置される。収納位置P1にペットボトル12が落下することで収納位置P1の係止体52の係止部55が商品収納部22内に進入し、上側の収納位置P2に落下するペットボトル12を係止可能とする状態となる。同様にして、収納位置P3のペットボトル12、収納位置P4のペットボトル12が１個ずつ順番に落下する。したがって、下側のペットボトル12から順次１個ずつ落下させて排出機構29に加わる衝撃力を緩和できる。
【００４０】
図３(d)に示すように、最下位位置P0のペットボトル12の排出後に、商品収納部22内に残っている全てのペットボトル12が下側から１個ずつ順番に落下した状態では、ペットボトル12を各位置P0，P1，P2，P3，P4…に収納した待機状態となる。
【００４１】
このように、商品収納部22内にペットボトル12を上下方向に積み重ねて収納する場合において、商品収納部22に収納される最下位から２番目より上の各ペットボトル12を収納する各収納位置P1，P2，P3，P4…毎に設けた係止体52により、対応する収納位置P1，P2，P3，P4…に収納されるペットボトル12で押されて上側の収納位置P2，P3，P4…のペットボトル12を係止するとともに、対応する収納位置P1，P2，P3，P4…のペットボトル12が落下して押されるのが解除されることによって上側の収納位置P2，P3，P4…のペットボトル12の係止を解除するため、商品収納状態では排出機構29に加わるペットボトル12の荷重を緩和できるとともに、最下位のペットボトル12の排出後には下側のペットボトル12から順次１個ずつ落下させて排出機構29に加わる衝撃力を緩和でき、排出機構29の動作不良を防止できる。
【００４２】
しかも、商品収納部22の一側に、商品収納部22内に収納された各ペットボトル12を支持するとともに最下位位置P0のペットボトル12の排出に伴なって各ペットボトル12を下降させる支持機構51を設けるのに加えて、商品収納部22の他側に、商品収納部22の一側との間でペットボトル12の幅方向を規制するスペーサ59を設けたので、商品の形状や種類に容易に対応してペットボトル12の収納時および下降時の姿勢を安定させることができ、つまり支持機構51の動作を確実にでき、ペットボトル12を正常に収納および排出できる。
【００４３】
特に、スペーサ59を、商品収納部22の一側と他側との間に収納されるペットボトル12の幅が小さい位置に対応して設ければ、ペットボトル12の形状に適切に対応できて、ペットボトル12の姿勢を確実に安定させることができる。
【００４４】
さらに、スペーサ59を、商品収納部22の最上位位置から排出機構29によってペットボトル12を排出する最下位位置P0にわたって設けたので、商品収納部22内でのペットボトル12の収納から排出までの全ての過程において、ペットボトル12の姿勢を確実に安定させることができる。
【００４５】
また、スペーサ59を、商品収納部22の一側と他側との間に収納されるペットボトル12の幅が小さい位置、ペットボトル12の角部の面取りの大きさ、ペットボトル12の硬さなどに対応して、商品収納部22の他側の側板24からのスペーサ59の突出量、商品収納部22の他側の側板24におけるスペーサ59の位置などを選定することにより、複数種のペットボトル12に対応できる。
【００４６】
次に、図４および図５に第２の実施の形態を示す。
【００４７】
この実施の形態では、ペットボトル12のボトル本体13のうち、商品収納部22の一側と他側との間での幅が小さい口部14側の胴部16の位置、および底部側の胴部15の位置の２箇所に対応して、スペーサ63，64が設けられている。これらスペーサ63，64は、ペットボトル12の形状に対応して、口部14側に対応したスペーサ63の側板24からの突出量が、底部側に対応したスペーサ64の側板24からの突出量より大きく設けられている。
【００４８】
このように、スペーサ63，64を、商品収納部22の一側と他側との間に収納されるペットボトル12の幅が小さい位置を含む少なくとも２箇所の位置に対応して設けるとともに、商品収納部22の他側からの突出量はペットボトル12の幅の小さい位置が他の位置より大きく設けることにより、ペットボトル12の形状に適切に対応できて、ペットボトル12の姿勢を確実に安定させることができる。
【００４９】
また、図４には、ペットボトル12の幅が小さい、ペットボトル12が柔らかい、ペットボトル12の面取りが大きいなどの場合を示し、この場合にはスペーサ63，64の側板24からの突出量が大きく設定され、一方、図５には、ペットボトル12の幅が大きい、ペットボトル12が硬い、ペットボトル12の面取りが小さいなどの場合を示し、この場合にはスペーサ63，64の側板24からの突出量が小さく設定される。このように、スペーサ63，64の設定を変えることにより、複数種のペットボトル12に対応できる。
【００５０】
なお、上述した各実施の形態のスペーサは、商品収納部の他側からの突出量をペットボトル12の種類に対応して調整可能とする取付構造で設けてもよく、複数種のペットボトル12に対応できる。
【００５１】
また、商品としては、ペットボトル12に限らず、他の商品にも適用でき、同様の作用効果が得られる。
【００５２】
【発明の効果】
請求項１記載の商品収納排出装置によれば、商品収納部の一側でこの商品収納部に収納される最下位から２番目より上の各商品を収納する各収納位置毎に設けた係止体により、対応する収納位置に収納される商品で押動されて上側の収納位置の商品を係止するととともに、対応する収納位置の商品が落下して押動が解除されることによって上側の収納位置の商品の係止を解除するため、商品収納状態では排出機構に加わる商品の荷重を緩和できるとともに、最下位の商品の排出後には下側の商品から順次１個ずつ落下させて排出機構に加わる衝撃力を緩和でき、排出機構の動作不良を防止できる。しかも、商品収納部の他側に、商品収納部の一側および各係止体との間で商品の幅方向を規制するスペーサを設けたので、商品の形状や種類に容易に対応して商品の姿勢を安定させることができ、支持機構の係止体の動作を確実にでき、商品を正常に収納および排出できる。
【００５３】
請求項２記載の商品収納排出装置によれば、請求項１記載の商品収納排出装置の効果に加えて、スペーサを、商品収納部の一側と他側との間に収納される商品の幅が小さい位置に対応して設けたので、商品の形状に適切に対応できて、商品の姿勢を確実に安定させることができる。
【００５４】
請求項３記載の商品収納排出装置によれば、請求項１記載の商品収納排出装置の効果に加えて、スペーサを、商品収納部の一側と他側との間に収納される商品の幅が小さい位置を含む少なくとも２箇所の位置に対応して設けるとともに、商品収納部の他側からの突出量は商品の幅の小さい位置が他の位置より大きく設けたので、商品の形状に適切に対応できて、商品の姿勢を確実に安定させることができる。
【００５５】
請求項４記載の商品収納排出装置によれば、請求項１ないし３いずれか記載の商品収納排出装置の効果に加えて、スペーサを、商品収納部の最上位位置から排出機構によって商品を排出する最下位位置にわたって設けたので、商品収納部内での商品の収納から排出までの全ての過程において、商品の姿勢を確実に安定させることができる。
【００５６】
請求項５記載の商品収納排出装置によれば、請求項１ないし４いずれか記載の商品収納排出装置の効果に加えて、スペーサを、商品収納部の他側に対して着脱可能とする取付構造および商品収納部の他側からの突出量を調整可能とする取付構造のうち、少なくともいずれか一方の取付構造で設けたので、商品の種類に容易に対応できる。
【図面の簡単な説明】
【図１】本発明の第１の実施の形態を示す商品収納排出装置の平面図である。
【図２】同上商品収納排出装置を示し、(a)は側面図、(b)は排出機構の背面図である。
【図３】同上商品収納排出装置による商品排出動作を(a)〜(d)の順に示す正面図である。
【図４】第２の実施の形態を示す商品収納排出装置の平面図である。
【図５】同上商品収納排出装置の他の調整状態の平面図である。
【符号の説明】
11    商品収納排出装置
12    商品としてのペットボトル
22    商品収納部
29    排出機構
51    支持機構
52 係止体
59，63，64    スペーサ
P1，P2，P3，P4… 収納位置
【図１】
0003649436.tif 000002
【図２】
0003649436.tif 000003
【図３】
0003649436.tif 000004
【図４】
0003649436.tif 000005
【図５】
0003649436.tif 000006